(57)【要約】【課題】操作子が表示装置の正面から視認し難い部位に配置された場合であっても操作性を維持することができる操作子管理装置を提供する。【解決手段】表示装置に設けられた複数の操作子の配列方向に対応しており前記複数の操作子の数よりも少ない数の操作子に対してそれぞれ異なる機能を割り当てる割り当てパターンを記憶する記憶部と、前記複数の操作子のいずれかの操作子に対して操作入力を受付けると、前記操作入力された操作子を含む各操作子に対して前記割り当てパターンに従って機能を割り当てる割り当て部と、を有する。【選択図】図１
2019125180.tif 000002
【特許請求の範囲】
【請求項１】
表示装置に設けられた複数の操作子の配列方向に対応しており前記複数の操作子の数よりも少ない数の操作子に対してそれぞれ異なる機能を割り当てる割り当てパターンを記憶する記憶部と、
前記複数の操作子のいずれかの操作子に対して操作入力を受付けると、前記操作入力された操作子を含む各操作子に対して前記割り当てパターンに従って機能を割り当てる割り当て部と、
を有する操作子管理装置。
【請求項２】
前記複数の操作子の配列方向と前記割り当てパターンとして定められた割り当て対象の操作子の配列方向とは第１方向に沿って配列されており、
前記割り当て部は、
前記割り当てパターンにおける両端の操作子を除くいずれかの操作子を前記操作入力された操作子に対して割り当てる
請求項１記載の操作子管理装置。
【請求項３】
前記操作入力された操作子が前記複数の操作子のうち端部の操作子である場合に、前記表示装置に他の操作子を操作することを示すメッセージを出力させるメッセージ出力部
を有する請求項２記載の操作子管理装置。
【請求項４】
前記割り当て部は、前記操作入力された操作子が前記複数の操作子のうち端部の操作子である場合には割り当てを行なわない
請求項２または請求項３記載の操作子管理装置。
【請求項５】
予め定められた解除条件を満たす場合に、前記割り当て部が行なった機能の割り当てを解除するリセット部
を有する請求項１から請求項４のいずれか１項に記載の操作子管理装置。
【請求項６】
請求項１から請求項５のいずれか１項に記載の操作子管理装置によって機能が割り当てられる前記複数の操作子を備えた表示装置。
【請求項７】
表示装置に設けられた複数の操作子の配列方向に対応しており前記複数の操作子の数よりも少ない数の操作子に対してそれぞれ異なる機能を割り当てる割り当てパターンを記憶する操作子管理装置の操作子管理方法であって、
前記複数の操作子のいずれかの操作子に対して操作入力を受付けると、前記操作入力された操作子を含む各操作子に対して前記割り当てパターンに従って機能を割り当てる操作子管理方法。
【発明の詳細な説明】
【技術分野】
【０００１】
本発明は、操作子管理装置、表示装置、及び操作子管理方法に関する。
【背景技術】
【０００２】
従来の表示装置は、表示画面以外の筐体の一部に操作子（操作ボタン）を備えている場合が多い。ユーザは、この操作子を押下することによりメニューを表示させたり、輝度を調整したりする等の各種処理を行うことができる。
操作子は、例えば、メニューを表示するためのメニューキー（メニューボタン）、メニューボタンが押下されることにより表示されるメニュー（機能）を選択するための上下左右の矢印キー、矢印キーが操作されることにより選択される機能を決定するためのエンターキー、メニューの表示や各種機能に応じた処理を終了させる終了キー等を備えている。
操作子の配置は、例えば、デザイン性を考慮して表示装置の背面や下面、あるいは側面など、表示装置の正面（表示画面を含む面）以外の面に配置される場合がある。
また、表示装置の正面において、表示画面の領域をなるべく広く確保する目的で表示画面を囲む額縁部（ベゼル）を狭くする狭額縁とする場合がある。このような場合、額縁部に操作子を配置する領域が確保できないため、操作子は表示装置の背面など、表示装置の正面とは異なる面に配置される。
例えば、特許文献１には、表示装置の左右いずれの側面にも組み付け可能なボタンユニットが開示されている。
【先行技術文献】
【特許文献】
【０００３】
【特許文献１】特開２０１４−１１５６１０号公報
【発明の概要】
【発明が解決しようとする課題】
【０００４】
しかしながら、操作子が表示装置の正面とは異なる面に配置された場合、表示装置の正面からは操作子が視認し難くなる。このため、ユーザは、操作子を視認しながら操作することが困難となり、触覚だけでボタンを押下して操作することとなり、複数ある操作子のうち何れのボタンを操作しているかが認識しづらい。ユーザは、触覚に頼ってボタンを探り当て、探り当てたボタンが目的のボタンか否かを、そのボタンを押下した際に表示画面に表示される、操作内容に応じた画面を視認することで確認する。目的とは異なるボタンを押下してしまった場合には、目的外の部分でメニューが変更されてしまい、操作子による操作の操作性や快適性が低下してしまう。
【０００５】
本発明は、このような事情に鑑みてなされたもので、その目的は、操作子が表示装置の正面から視認し難い部位に配置された場合であっても操作性を維持することができる表示装置、及び操作子管理方法を提供することにある。
【課題を解決するための手段】
【０００６】
上述した課題を解決するために、本発明は、表示装置に設けられた複数の操作子の配列方向に対応しており前記複数の操作子の数よりも少ない数の操作子に対してそれぞれ異なる機能を割り当てる割り当てパターンを記憶する記憶部と、前記複数の操作子のいずれかの操作子に対して操作入力を受付けると、前記操作入力された操作子を含む各操作子に対して前記割り当てパターンに従って機能を割り当てる割り当て部と、を有する操作子管理装置である。
【発明の効果】
【０００７】
以上説明したように、この発明によれば、操作子が表示装置の正面から視認し難い部位に配置された場合であっても操作性を維持することができる。
【図面の簡単な説明】
【０００８】
【図１】第１の実施形態の操作子管理装置２０が適用される表示装置１の構成例を示すブロック部である。
【図２】第１の実施形態の記憶部２３に記憶される情報の構成例を示す図である。
【図３】第１の実施形態の割り当て部２２が行う処理を説明するための図である。
【図４】第１の実施形態のメッセージ出力部２５が行う処理を説明するための図である。
【図５】第１の実施形態の操作子管理装置２０の動作例を示すフローチャートである。
【図６】第２の実施形態の操作子管理装置１００の構成例を示すブロック部である。
【発明を実施するための形態】
【０００９】
以下、本発明の一実施形態による操作子管理装置、及び表示装置について図面を参照して説明する。
【００１０】
（第１の実施形態）
まず、第１の実施形態について説明する。
本発明の表示装置１は、ＯＳＤ（Ｏｎ  Ｓｃｒｅｅｎ  Ｄｉｓｐｌａｙ）機能を有する表示装置である。表示装置１には、表示画面に設定画面が設けられる。ユーザは、その設定画面を視認しながら各種設定の変更をすることが可能となる。各種設定とは、例えば、画面の輝度、垂直位置、水平位置、コントラスト、カラーなどの設定である。
図１は、第１の実施形態による操作子管理装置２０が適用される表示装置１の構成例を示すブロック部である。図１に示すように、表示装置１は、複数の操作子１０（操作子１０−１〜１０−Ｎ）（但し、Ｎは任意の自然数）と、操作子管理装置２０と、ＯＳＤ制御部３０と、画像処理部４０と、画像合成部５０と、画像表示部６０とを備える。ここで、操作子１０は「操作子」の一例である。
【００１１】
操作子１０は、ユーザがＯＳＤ機能による各種の設定を行うためのボタンである。
操作子１０は、特に、表示装置１の正面（表示画面が設けられる面）以外の部位に設けられるものであり、例えば、額縁部のうち背面部に設けられる。また、操作子は、表示画面を視認するユーザからみて視認し難い部位であれば、額縁部における側面に設けられてもよい。また、複数の操作子１０は、配列方向に沿って設けられる。表示装置１の額縁部のうち上額縁部または下額縁部に複数の操作子１０が設けられた場合においては、配列方向は水平方向である。表示装置１の右額縁部または左額縁部に複数の操作子１０が設けられた場合においては、配列方向は鉛直方向である。
以下では、操作子１０が、配列方向に沿って、操作子１０−１、１０−２、…１０−Ｎの順に配置されているものとして説明する。
各操作子１０は、ユーザ等によりボタンが押下された場合に、ボタンが押下されたことを示す操作信号を操作子管理装置２０に出力する。
【００１２】
操作子管理装置２０は、操作子１０から操作信号を取得し、操作信号に基づくＯＳＤ制御信号をＯＳＤ制御部３０に出力する。ここで、ＯＳＤ制御信号は、ＯＳＤ機能による各種の設定を行うための制御信号であり、例えば、画面の明るさを設定するための信号である。
【００１３】
ＯＳＤ制御部３０は、操作子管理装置２０からＯＳＤ制御信号を取得し、取得したＯＳＤ制御信号に基づいて表示装置１の表示画面に表示させる画像を生成する。ＯＳＤ制御部３０は、例えば、画面の明るさを設定するための制御信号を取得した場合、画面の明るさを設定するためＯＳＤ画面の画像信号を生成する。ＯＳＤ制御部３０は、生成した画像の画像信号を画像合成部５０に出力する。
画像処理部４０は、外部から入力画像信号を取得し、取得した入力画像信号に基づく画像信号を生成する。画像処理部４０は、生成した画像の画像信号を画像合成部５０に出力する。
画像合成部５０は、ＯＳＤ制御部３０、および画像処理部４０の各々から取得した画像信号を合成し、合成した画像信号を画像表示部６０に出力する。
画像表示部６０は、画像合成部５０から画像信号を取得し、取得した画像信号に応じた画像を表示する。
【００１４】
図１に示すように、操作子管理装置２０は、操作信号取得部２１と、割り当て部２２と、記憶部２３と、制御信号出力部２４と、メッセージ出力部２５と、リセット部２６とを備える。
【００１５】
記憶部２３は、表示装置１に設けられた複数の操作子１０の配列方向に対応しており複数の操作子１０の数よりも少ない数の操作子１０に対してそれぞれ異なるＯＳＤ機能を割り当てる割り当てパターンを記憶する。
割り当てパターンは、複数の操作子１０の数をｎ（ｎは３以上の自然数）とした場合に、ｎよりも少ない数であって、２以上の数の操作子１０を対象として機能を割り当てる操作子の配列とその配列された操作子に対して割り当てる機能を定義した情報である。
以下では、１０個の操作子１０−１〜１０−１０が配列方向に沿って順に設けられて対応しており、このうち３個の操作子１０に対してそれぞれ異なる機能Ａ、機能Ｘ、および機能Ｂを割り当てる場合を例に説明する。
ここで、機能Ａ、機能Ｘ、および機能Ｂは、表示装置１に対する各種設定を行なう機能であり、例えば表示画面に表示されたＯＳＤ画面を参照しつつ各種操作入力をすることで表示装置１における輝度、垂直位置、水平位置、コントラスト、カラー設定、ＯＳＤ画面におけるメニュー選択等の機能である。
【００１６】
図２は、第１の実施形態の記憶部２３に記憶される割り当てパターンの構成例を示す図である。
図２に示すように、割り当てパターンには、パターン番号、機能Ａ、機能Ｘ、および機能Ｂの項目を有する。パターン番号には、操作子１０と機能との組み合わせのパターンを一意に識別する番号が記憶される。機能Ａ、機能Ｘ、および機能Ｂの各項目には、各機能を割り当てる操作子１０が記憶される。
【００１７】
割り当てパターンでは、操作子１０の配列方向に沿って、順に、機能Ａ、機能Ｘ、および機能Ｂが割り当てられて記憶されている。つまり、配列パターンでは、割り当てパターンでは、機能Ａ、機能Ｘ、機能Ｂが割り当てられるそれぞれの操作子１０の相対的な位置関係が変化しないように、各機能が割り当てられる。
また、割り当てパターンでは、配列方向に設けられた操作子１０のうち両端に配置された操作子１０を除くいずれか一つの操作子１０に機能Ｘが割り当てられて記憶される。
また、複数の操作子１０の配列方向と、割り当てパターンとして定められた割り当て対象の操作子１０の配列方向とが対応するように配列されている。図２の例では、複数の操作子１０の配列方向と同じ方法で割り当て対象の操作子１０が配列される。
【００１８】
図２の例では、パターン番号１には、操作子１０−１に機能Ａを、操作子１０−２に機能Ｘを、操作子１０−３に機能Ｂを、それぞれ割り当てるパターンが記憶されている。また、パターン番号２には、操作子１０−２に機能Ａを、操作子１０−３に機能Ｘを、操作子１０−４に機能Ｂを、それぞれ割り当てるパターンが記憶されている。つまり、操作子１０の配列方向に沿って、機能Ａ、機能Ｘ、機能Ｂが順に割り当てられている。
【００１９】
図１に戻り、操作信号取得部２１は、操作子１０の各々から操作信号を取得する。操作信号取得部２１は、取得した操作信号を割り当て部２２に出力する。
【００２０】
割り当て部２２は、操作信号取得部２１を介して取得した操作信号（操作入力）を受付けると、各操作子１０に対して割り当てパターンに従って機能を割り当てる。ここで、割り当てパターンは、記憶部２３に記憶された情報である。また、割り当て部２２が操作子１０に割り当てる機能は、割り当てパターンに記憶された機能である。
【００２１】
割り当て部２２は、操作子１０に機能を割り当てた後に、操作子１０からの操作入力を受け付けた場合、その操作子１０に割り当てた機能に応じたＯＳＤ制御を示す信号を制御信号出力部２４に出力する。こうすることで、制御信号出力部２４を介してＯＳＤ制御信号がＯＳＤ制御部３０に取得され、ＯＳＤ機能に応じた処理画面がＯＳＤ画面に表示される。なお、割り当て部２２は、操作子１０に機能を割り当てた後に、機能を割り当てていない操作子１０からの操作入力が入直された場合、その操作入力を受け付けない。
また、割り当て部２２は、操作子１０に機能を割り当てた後に、所定の時間（例えば、１０秒間）、操作子１０からの操作入力を受け付なかった場合、操作子１０に割り当てた機能を解除する。
メッセージ出力部２５は、ユーザに対して通知するメッセージをＯＳＤ画面に表示させる制御信号を制御信号出力部２４に出力する。
【００２２】
制御信号出力部２４は、割り当て部２２、またはメッセージ出力部２５から制御信号を取得する。取得した制御信号を、ＯＳＤ画面を制御するＯＳＤ制御信号としてＯＳＤ制御部３０に出力する。
【００２３】
リセット部２６は、予め定められた解除条件を満たす場合に、割り当て部が行なった機能の割り当てを解除する。
予め定められた解除条件は、割り当て部によって機能の割り当てが行なわれている状態において、機能が割り当てられた操作子のいずれの対しても操作入力がない状態が一定時間（例えば１０秒）継続した場合、あるいは、機能の割り当ての解除を示す操作子１０に対する操作入力があった場合等である。機能の割り当ての解除を示す操作子１０に対する操作入力は、機能の割り当てが行なわれた操作子１０のうち、割り当てを解除する操作子１０が押下された場合、機能の割り当てが行なわれた状態において、機能が割り当てられていない操作子の複数を一定時間（例えば３秒）押下し続けた場合等であってもよい。
【００２４】
ここで、割り当て部２２が、各操作子１０に対して機能を割り当てる方法について図３、図４を用いて説明する。
【００２５】
図３は、第１の実施形態の割り当て部２２が行う処理を説明するための図である。図３（ａ）は、表示装置１に複数の操作子１０が配列方向に並んで設けられた例を示す。図３（ｂ）、図３（ｃ）は、図３（ａ）の複数の操作子１０が配列方向に並んだ状態を示す。
【００２６】
割り当て部２２は、操作入力された操作子１０を含む各操作子１０に対して割り当てを行う。この割り当ては、複数の操作子１０に対する割り当てが行われていない状態において行われる。ここで、割り当てパターンでは、配列方向に設けられた操作子１０のうち両端に配置された操作子１０を除くいずれか一つの操作子１０が、機能Ｘが割り当てられる基準キーとして決定されている。基準キーは、機能の割り当ての基準とする操作子（キー）のことである。割り当て部２２は、この基準キーが複数の操作子１０のうち操作入力された操作子１０に基準キーが対応するようにして、割り当てパターンに従って、各操作子１０に機能を割り当てる。
【００２７】
図３（ａ）では、符号２に示すように、複数（図３の例では、１０個）の操作子１０が表示装置１の背面下部に水平方向に設けられた例を示している。この場合、複数の操作子１０は表示画面を視認するユーザからみて視認し難い。
【００２８】
図３（ｂ）では、ユーザにより最初に操作された操作子が操作子１０−４である場合の機能の割り当てを示している。この例では、操作子１０−４から操作入力がなされる。割り当て部２２は、操作子１０−４から操作入力を受け付けると、操作子１０−４を基準キーとし、操作子１０−４に基準キーに対応する機能Ｘを割り当てる。また、割り当て部２２は、基準キーの左側に配置されている操作子１０−３に機能Ａを、右側に配置されている操作子１０−５に機能Ｂを、それぞれ割り当てる。
【００２９】
図３（ｃ）では、ユーザにより最初に操作された操作子が操作子１０−５である場合の機能の割り当てを示している。この例では、操作子１０−５から操作入力がなされる。割り当て部２２は、操作子１０−５から操作入力を受け付けると、操作子１０−５を基準キーとし、操作子１０−５に基準キーに対応する機能Ｘを割り当てる。また、割り当て部２２は、基準キーの左側に配置されている操作子１０−４に機能Ａを、右側に配置されている操作子１０−６に機能Ｂを、それぞれ割り当てる。
【００３０】
このように、割り当て部２２は、ユーザにより最初に操作された操作子１０が、いずれの操作子１０であった場合にも、当該最初に操作された操作子１０を基準キーとして機能Ｘを割り当て、基準キーの左側に配置されている操作子１０に機能Ａを、右側に配置されている操作子１０に機能Ｂを割り当てる。つまり、割り当て部２２は、基準キーをユーザによりどの操作子１０が操作されるかに応じて決定するが、決定した基準キーに対して各機能が割り当てられる各操作子１０の相対的な位置関係を同じ位置関係となるように機能の割り当てを行う。
割り当て部２２が、ユーザにより最初に操作された操作子１０と、その操作子１０との相対的な位置関係が所定の関係にある他の操作子１０とに、所定の機能を割り当てることにより、ユーザは複数ある操作子１０のいずれかを操作すれば、操作子１０を視認し難い場合でも、操作子１０に割り当てられた機能を把握（推測）することが可能となる。
【００３１】
また、割り当て部２２は、割り当てパターンにおける両端を除くいずれかの操作子１０が操作入力された操作子１０である場合に、その操作子１０を基準キーとする。これにより、割り当て部２２は、割り当てパターンにある操作子１０の相対的な位置関係に従って、所定の機能を割り当てることが可能となる。
一方、割り当て部２２は、割り当てパターンにおける両端のいずれかの操作子１０が操作入力された操作子１０である場合、その操作子１０を基準キーとしない。この場合、割り当て部２２は、操作子１０に機能を割り当てる処理を行わない。割り当てパターンにおける両端にある操作子１０を基準キーとすると、操作子１０の相対的な位置関係に従って所定の機能を割り当てることができないためである。
具体的には、割り当て部２２は、図３（ｃ）の例で、左端の操作子１０−１に対して、ユーザにより最初の入力操作が行われた場合、操作子１０−１を基準キーとせず、操作子１０に機能を割り当てる処理を行わない。また、割り当て部２２は、右端の操作子１０−１０に対して、ユーザにより最初の入力操作が行われた場合、操作子１０−１０を基準キーとせず、操作子１０に機能を割り当てる処理を行わない。
なお、割り当て部２２は、機能を割り当てない場合の両端の操作子１０の個数を、操作子１０に割り当てられる機能の数に応じて決定してよい。例えば、割り当て部２２は、操作子１０に割り当てる機能が五個ある場合、左端にある二つの操作子１０−１及び１０−２の何れかに対してユーザにより最初の入力操作が行われた場合、操作子１０に機能を割り当てる処理を行わない。同様に、割り当て部２２は、操作子１０に割り当てる機能が五個ある場合、右端にある二つの操作子１０−９及び１０−１０のいずれかに対してユーザにより最初の入力操作が行われた場合、操作子１０に機能を割り当てる処理を行わない。
【００３２】
この場合、割り当て部２２は、メッセージ出力部２５を介して表示装置１の表示画面にメッセージを表示させてもよい。メッセージは、操作入力が行われた操作子１０とは異なる他の操作子１０を操作することをユーザに対して通知する内容である。
すなわち、メッセージ出力部２５は、操作入力された操作子１０が複数の操作子１０のうち端部の操作子１０である場合に、表示装置１に他の操作子１０を操作することを示すメッセージを出力させる。
ここで、端部の操作子１０は、例えば、表示装置１における複数の操作子１０が水平方向に配列されている場合には、水平方向における最も左の操作子１０と最も右の操作子１０である。また、端部の操作子１０は、例えば、表示装置１における複数の操作子１０が鉛直方向に配列されている場合には、鉛直方向における最も上の操作子１０と最も下の操作子１０である。
【００３３】
図４は、第１の実施形態のメッセージ出力部２５が行う処理を説明するための図である。
図４（ａ）は、図３（ａ）の複数の操作子１０が配列方向に並んだ状態を示す。図４（ｂ）は、表示装置１の表示画面にメッセージが表示された例を示す。
【００３４】
図４（ａ）では、ユーザにより最初に操作された操作子が操作子１０−１である場合を示している。この例では、操作子１０−１から操作入力がなされる。メッセージ出力部２５は、操作子１０−１から操作入力を受け付けると、図４（ｂ）に示すように、「より中央のボタンを押してください」などのメッセージを出力させる。
【００３５】
図５は、第１の実施形態の操作子管理装置２０の動作例を示すフローチャートである。
まず、操作子管理装置２０の割り当て部２２は、操作子１０から操作入力を受け付ける（ステップＳ１０）。このとき、操作子１０には機能が割り当てられていない。割り当て部２２は、操作信号取得部２１を介して、操作子１０からの操作信号を取得することで、操作子１０から操作入力を受け付ける。
次に、割り当て部２２は、基準キーを決定する（ステップＳ１１）。割り当て部２２は、操作入力を受け付けた操作子１０を基準キーとする。
次に、割り当て部２２は、操作子１０に機能を割り当てる（ステップＳ１２）。割り当て部２２は、基準キーとした操作子１０に機能Ｘを、基準キーの左に配置された操作子１０に機能Ａを、右に配置された操作子１０に機能Ｂを、それぞれ割り当てる。
【００３６】
次に、割り当て部２２は、操作入力を受け付ける（ステップＳ１３）。このとき、操作子１０には機能が割り当てられている。
割り当て部２２は、操作入力を受け付けた操作子１０が、機能が割り当てられた操作子１０か否かを判定する（ステップＳ１４）。
割り当て部２２は、操作入力を受け付けた操作子１０が、機能が割り当てられた操作子１０でない場合、その操作入力を受け付けない（ステップＳ１５）。
一方、割り当て部２２は、操作入力を受け付けた操作子１０が、機能が割り当てられた操作子１０である場合、その機能に応じた制御情報を、制御信号出力部２４を介して、ＯＳＤ制御部３０に出力する（ステップＳ１６）。
【００３７】
次に、割り当て部２２は、機能が割り当てられた操作子１０のいずれの操作子１０からも、所定時間（図５では、１０秒間）操作入力を受け付けていないか否かを判定する（ステップＳ１７）。
割り当て部２２は、機能が割り当てられた操作子１０のいずれの操作子１０からも、所定時間（図５では、１０秒間）操作入力を受け付けていない場合、機能の割り当てを解除する（ステップＳ１８）。
そして、割り当て部２２は、機能の割り当てを解除した後に、操作入力を受けつけた場合、ステップＳ１１に示す処理を行う（ステップＳ１９）。
【００３８】
一方、ステップＳ１７にて、割り当て部２２は、機能が割り当てられた操作子１０のいずれかの操作子１０から、所定時間（図５では、１０秒間）内に、操作入力を受け付けた場合、ステップＳ１１に示す処理を行う。
【００３９】
以上説明したように、第１の実施形態の操作子管理装置２０は、表示装置１に設けられた複数の操作子１０の配列方向に対応しており複数の操作子１０の数よりも少ない数の操作子１０に対してそれぞれ異なる機能を割り当てる割り当てパターンを記憶する記憶部２３と、複数の操作子１０のいずれかの操作子１０に対して操作入力を受付けると、操作入力された操作子１０を含む各操作子１０に対して割り当てパターンに従って機能を割り当てる割り当て部２２を有する。これにより第１の実施形態の操作子管理装置２０は、ユーザにより操作された操作子１０を基準キーとして、配列パターンに記憶された内容に従って機能を割り当てることができ、その配列パターンをユーザが把握していれば、最初に操作した操作子１０を基準として何れの操作子１０に何れの機能が割り当てられたがを推測でき、操作子１０が表示装置１の正面から視認し難い部位に配置された場合であっても操作性を維持することができる。
【００４０】
また、第１の実施形態の操作子管理装置２０では、複数の操作子１０の配列方向と割り当てパターンとして定められた割り当て対象の操作子の配列方向とは第１方向に沿って配列されており、割り当て部２２は、割り当てパターンにおける両端の操作子１０を除くいずれかの操作子１０を操作入力された操作子１０に対して割り当てる。これにより第１の実施形態の操作子管理装置２０は、ユーザにより操作された操作子１０を基準キーとして、操作子１０の配列に対する相対的な位置関係と、割り当てられた機能との間の関係を一定とした割り当てを行うことが可能となる。つまり、ユーザは操作子１０を視認することができなくとも、最初に操作した操作子１０に機能Ｘ、その左の操作子１０に機能Ａ、その右の操作子に機能Ｂが割り当てられたと推測できる。
【００４１】
また、第１の実施形態の操作子管理装置２０は、操作入力された操作子１０が複数の操作子１０のうち端部の操作子１０である場合に、表示装置１に他の操作子１０を操作することを示すメッセージを出力させるメッセージ出力部２５を更に有する。これにより、第１の実施形態の操作子管理装置２０では、操作子１０に機能が割り当てられていない状態で、ユーザが端部の操作子１０を操作した場合に、他の操作子１０を操作するように促すことが可能となり、ユーザが端部の操作子１０を操作した場合でも操作子１０の配列に対する相対的な位置関係と、割り当てられた機能との間の関係を一定とした割り当てを行うことが可能となる。
【００４２】
また、第１の実施形態の操作子管理装置２０では、割り当て部２２は、操作入力された操作子１０が複数の操作子１０のうち端部の操作子１０である場合には割り当てを行なわない。これにより、第１の実施形態の操作子管理装置２０では、操作子１０の配列に対する相対的な位置関係と、割り当てられた機能との間の関係が所定の関係にならない場合に割り当てを行なわないようにすることができ、常に所定の関係を維持するように操作子１０に機能を割り当てることが可能となる。
【００４３】
（第２の実施形態）
次に、第２の実施形態について説明する。
図６は、第２の実施形態の操作子管理装置１００の構成例を示すブロック部である。
図６に示すように、第２の実施形態の操作子管理装置１００は、表示装置１に設けられた複数の操作子の配列方向に対応しており複数の操作子１０の数よりも少ない数の操作子１０に対してそれぞれ異なる機能を割り当てる割り当てパターンを記憶する記憶部１０２と、複数の操作子１０のいずれかの操作子１０に対して操作入力を受付けると、操作入力された操作子１０を含む各操作子１０に対して割り当てパターンに従って機能を割り当てる割り当て部１０１と、を有する。
【００４４】
上述した実施形態における表示装置１、操作子管理装置２０をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ（Field Programmable Gate Array）等のプログラマブルロジックデバイスを用いて実現されるものであってもよい。
【００４５】
以上、この発明の実施形態について図面を参照して詳述してきたが、具体的な構成はこの実施形態に限られるものではなく、この発明の要旨を逸脱しない範囲の設計等も含まれる。
【符号の説明】
【００４６】
１…表示装置、１０…操作子、２０…操作子管理装置、２２…割り当て部、２３…記憶部、２５…メッセージ処理部、２６…リセット部、３０…ＯＳＤ制御部、４０…画像処理部、５０…画像合成部、６０…画像表示部。
【図１】
2019125180.tif 000003
【図２】
2019125180.tif 000004
【図３】
2019125180.tif 000005
【図４】
2019125180.tif 000006
【図５】
2019125180.tif 000007
【図６】
2019125180.tif 000008